(57)【要約】【課題】防水構造を保ちつつも操作性を損なうことなく、小型で軽量なカメラ用水中カプセルを提供すること。【解決手段】カメラ用水中カプセル本体４１の背面にタッチセンサ１００を設ける。このタッチセンサ１００は、カメラ側からの電磁誘導によって電源が供給される。タッチセンサ１００からの操作状態信号は非接触通信によってカメラ側に送られる。これにより、カメラ用水中カプセル本体４１の防水構造を保ちつつ、カメラ用水中カプセル本体４１を小型かつ軽量化することが可能である。【選択図】図２
2006350016.tif 000002
【特許請求の範囲】
【請求項１】
カメラを収納自在に構成されたカメラ用水中カプセルにおいて、
複数の検知領域が２次元状に整列配置された赤外線検知方式のタッチセンサ手段と、
上記タッチセンサ手段におけるユーザタッチ位置の座標を検知する検知手段と、
上記検知手段の検知結果を上記カメラの本体に非接触通信にて送信する送信手段と、
を具備することを特徴とするカメラ用水中カプセル。
【請求項２】
上記タッチセンサ手段は、上記カメラ用水中カプセルの本体の背面に設けられていることを特徴とする請求項１に記載のカメラ用水中カプセル。
【請求項３】
上記カメラ用水中カプセルは、上記カメラから電磁誘導にて電源が供給されることを特徴とする請求項１に記載のカメラ用水中カプセル。
【請求項４】
上記タッチセンサ手段は、赤外線を投光する赤外線投光部と上記赤外線投光部から投光された赤外線を受光する赤外線受光部とからなるペアを複数有しており、
上記検知手段は、上記赤外線投光部から赤外線が投光された際の上記赤外線受光部の出力信号から、上記ユーザタッチ位置の座標を検知することを特徴とする請求項１に記載のカメラ用水中カプセル。
【請求項５】
上記検知手段は、上記赤外線受光部の出力信号から上記ユーザタッチ位置の座標を検知することが可能であるか否かを判定する判定手段を含むことを特徴とする請求項４に記載のカメラ用水中カプセル。
【請求項６】
上記検知手段の検知結果は、上記ユーザタッチ位置の座標に対応して設定された上記カメラを操作するための操作状態信号を含むことを特徴とする請求項１に記載のカメラ用水中カプセル。
【発明の詳細な説明】
【技術分野】
【０００１】
本発明は、カメラを水中で使用可能とするためのカメラ用水中カプセルに関する。
【背景技術】
【０００２】
従来、水中で写真を撮るために、カメラに防水機能を付加させた防水カメラやカメラの本体が水に触れないようにカメラ全体を覆うカメラ用水中カプセルが使用されている。この種のカメラ用水中カプセルにおいては、水圧による浸水対策などのために防水構造の操作レバーやボタンを設けるようにしており、これに伴ってカプセル自体のサイズが大型化している。
【０００３】
そこで、特許文献１では、赤外線リモートコントローラ（リモコン）からのリモートコントロール信号により、カメラ用水中カプセルの外部からカメラ用水中カプセル内部のカメラを操作可能とする技術が提案されている。
【特許文献１】特開平７−２８７２８６号公報
【発明の開示】
【発明が解決しようとする課題】
【０００４】
ところで、特許文献１の手法のように赤外線リモコンを用いる場合、水中での撮影の際にリモコンを携帯しなければならない。この場合、片手でカメラを持ち、もう片方の手でリモコンを持つことになるので、カメラをしっかりと保持できずに撮影時の画像がぶれてしまったりしてせっかくの写真が台無しになってしまうおそれがある。
【０００５】
本発明は、上記の事情に鑑みてなされたもので、防水構造を保ちつつも操作性を損なうことなく、小型で軽量なカメラ用水中カプセルを提供することを目的とする。
【課題を解決するための手段】
【０００６】
上記の目的を達成するために、本発明の第１の態様によるカメラ用水中カプセルは、カメラを収納自在に構成されたカメラ用水中カプセルにおいて、複数の検知領域が２次元状に整列配置された赤外線検知方式のタッチセンサ手段と、上記タッチセンサ手段におけるユーザタッチ位置の座標を検知する検知手段と、上記検知手段の検知結果を上記カメラの本体に非接触通信にて送信する送信手段とを具備することを特徴とする。
【０００７】
この第１の態様によれば、タッチセンサ手段を用いることにより水中においても操作性が損なわれることはない。また、電源はカメラ側からの電磁誘導によって供給されるのでカメラ用水中カプセルを小型、軽量化することができる。
【発明の効果】
【０００８】
本発明によれば、防水構造を保ちつつも操作性を損なうことなく、小型で軽量なカメラ用水中カプセルを提供することができる。
【発明を実施するための最良の形態】
【０００９】
以下、図面を参照して本発明の実施形態を説明する。  
図１は、本発明の一実施形態に係るカメラ用水中カプセルに収納されるカメラの外観斜視図である。ここで、図１（ａ）はカメラの前面斜視図を示し、図１（ｂ）はカメラの背面斜視図を示す。
【００１０】
図１（ａ）に示すようにカメラ本体１の前面には、レンズ鏡筒２やストロボ発光部３が設けられている。レンズ鏡筒２の内部には、図示しない被写体からの光束をカメラ内部の撮像部に入射させるためのレンズ系やレンズ系を駆動するための駆動機構などが設けられている。ストロボ発光部３は、ストロボ発光のための発光管などから構成されている。
【００１１】
また、図１（ａ）と図１（ｂ）に示すようにカメラ本体１の上面には、レリーズボタン４とモードダイヤル５とが設けられている。レリーズボタン４はユーザがカメラに対して撮影開始を指示するための手動操作部材である。また、モードダイヤル５はユーザがカメラの撮影モードを設定するための操作部材である。
【００１２】
また、図１（ｂ）に示すようにカメラ本体１の背面には、電子ビューファインダ装置（ＥＶＦ）６と、十字キー７と、確定キー８と、液晶モニタ（ＬＣＤ）９と、カメラ用水中カプセル検知ボタン１０とが設けられている。ＥＶＦ６は、撮影時にユーザが被写体の状態を観察するための表示装置である。このＥＶＦ６は、小型のＬＣＤなどから構成されている。カメラ本体１の電源が投入されると、レンズ鏡筒２を介して被写体像の撮像が行われ、これによって得られた画像がＥＶＦ６に設けられたＬＣＤに表示される。これにより、ユーザは被写体の状態を観察することができる。十字キー７はユーザがカメラの各種選択設定を行うための手動操作部材である。確定キー８は十字キー７によって設定された選択等を確定するための手動操作部材である。また、ＬＣＤ９は撮影結果やメニュー画面等の各種画像を表示するためのモニタである。このＬＣＤ９にＥＶＦ６と同様のファインダ画像を表示させることもできる。カメラ用水中カプセル検知ボタン１０はカメラ本体１がカメラ用水中カプセル内に収納されたことをカメラ側で検知するためのボタンである。
【００１３】
ここで、図１に示すレリーズボタン４、モードダイヤル５、十字キー７、確定キー８がユーザによって操作された場合には、それに応じた操作状態信号がカメラ内部の制御部に出力される。カメラ内部の制御部は、この操作状態信号に応じた各種制御を実行する。なお、手動操作部材は上記したものに限るものではない。
【００１４】
図２は、図１のカメラが収納される本一実施形態に係るカメラ用水中カプセルの外観背面斜視図である。なお、図２は、カメラ用水中カプセルがカメラを収納しているときの状態を示した図である。カメラ本体１がカメラ用水中カプセル本体４１に収納されると、カメラ用水中カプセル本体４１に設けられた押圧部材４２によって、カメラ本体１のカメラ用水中カプセル検知ボタン１０が押圧されるようになっている。これにより、カメラ本体１がカメラ用水中カプセル本体４１に収納されたことがカメラ側において検知される。また、このときカメラ用水中カプセル自体はヒンジ部４３、４４により密閉される。
【００１５】
また、図２に示すように、カメラ用水中カプセル本体４１の背面には、図１に示すカメラの手動操作部材に対応した操作を実行可能な赤外線遮光方式のタッチセンサ１００が設けられている。
【００１６】
ここで、赤外線遮光方式のタッチセンサ１００について更に詳しく説明する。図３は、タッチセンサ１００の上面図である。このタッチセンサ１００は、参照符号３０１〜３２０で示す複数の検知領域において、ユーザの指などが触れた検知領域（ユーザタッチ位置）の座標を検知する。このために、タッチセンサ１００は、赤外線投光素子と赤外線受光素子とからなるペアが２次元状に整列配置されて構成されている。つまり、図３に示すように、タッチセンサ１００は、検知領域の水平方向に赤外光を照射する赤外線投光素子１０１〜１０４及び赤外線投光素子１０１〜１０４からの赤外光を受光する赤外線受光素子１０５〜１０８と、検知領域の垂直方向に赤外光を照射する赤外線投光素子２０１〜２０５及び赤外線投光素子２０１〜２０５からの赤外光を受光する赤外線受光素子２０６〜２１０とを有している。ここで、赤外線投光素子は例えば赤外線投光ＬＥＤなどで構成され、赤外線受光素子は例えばフォトトランジスタなどで構成されている。
【００１７】
図４は、タッチセンサ１００の側面断面図である。なお、図４では、赤外線投光素子１０１及び赤外線受光素子１０５のみ示しているが、他の赤外線投光素子及び赤外線受光素子も図４に示す構成を有している。また、赤外線投光素子１０１の光照射部には集光レンズ１０１ａが設けられ、赤外線受光素子１０５の光受光部には集光レンズ１０５ａが設けられている。
【００１８】
図４のような構成において、赤外線投光素子１０１と赤外線受光素子１０５との間に赤外光を遮光する障害物が存在していない場合には、赤外線投光素子１０１から投光された赤外光が集光レンズ１０１ａにおいて集光され、赤外線受光素子１０５に集光レンズ１０５ａを介して入射する。
【００１９】
これに対し、赤外線投光素子１０１と赤外線受光素子１０５との間の検知領域にユーザの指などが触れると、赤外光が赤外線受光素子１０５に入射せず、赤外線受光素子１０５からの信号出力レベルが変化する。この赤外線受光素子１０５の出力信号の状態を判定することにより、ユーザタッチ位置の座標を検知することが可能である。タッチセンサ内の制御ＩＣは検知したユーザタッチ位置に対応した処理を実行する。
【００２０】
また、タッチセンサ１００の検知領域の下面にはＬＣＤ等で構成された表示面３２１が設けられている。この表示面３２１には、検知領域のどの位置にどのような操作機能が設定されているのかが分かるようなアイコンなどが表示される。
【００２１】
ここで、図４に示すように、赤外線遮光方式のタッチセンサ１００の、赤外線投光素子１０１、赤外線受光素子１０５、及び表示面３２１は、カメラ用水中カプセル本体４１の内部に構成することができ、水中使用時にタッチセンサ１００に水が流入しないようになっている。なお、図４では集光レンズ１０１ａ及び集光レンズ１０５ａをカメラ用水中カプセル本体４１の外部に露出配置しているが、カメラ用水中カプセル本体４１を透明部材で構成することで、集光レンズ１０１ａ及び１０５ａをカメラ用水中カプセル本体４１の内部に設けることも可能である。また、集光レンズ１０５ａを設けないようにすることも可能である。
【００２２】
また、タッチセンサ１００の検知領域（実際には赤外線投光素子の赤外線投光部や赤外線受光素子の赤外線受光部）が汚れていたり、検知領域にゴミなどが付着していたりする場合には、タッチセンサ１００が正常に動作しないおそれがあるので、本一実施形態では、タッチセンサ１００の動作時に検知領域のゴミや汚れなどを検知できるようにしている。この処理については後述する。
【００２３】
図５は、カメラとカメラ用水中カプセルの内部の回路構成について示すブロック図である。
【００２４】
まず、カメラ側の構成について説明する。図５において、レンズ１１は図示しない被写体の光束を後方のＣＣＤ１５の光電変換面に結像させる撮影光学系である。このレンズ１１は、モータなどからなるＡＦ機構１３によって駆動される。絞り１２及びシャッタ１４は、レンズ１１とＣＣＤ１５との間に配置されている。絞り１２は、ＣＣＤ１５への光束の入射量を調節する。シャッタ１４は、ＣＣＤ１５の光電変換面を遮光する。ここで、図５において絞り１２とシャッタ１４を１つの機構によって構成するようにしても良い。
【００２５】
ＣＣＤ１５は、光電変換面に入射した光束を電気信号（画像信号）に変換する。撮像回路１６は、ＣＣＤ１５で得られた画像信号を所定タイミング毎に読み出して種々のアナログ処理を行う。このアナログ処理としては、ノイズ除去のためのＣＤＳ（相関２重サンプリング処理）やゲイン調整処理などがある。アナログ／デジタル（Ａ／Ｄ）変換回路１７は、撮像回路１６でアナログ処理された画像信号をデジタル信号に変換する。
【００２６】
画像処理部１８は、Ａ／Ｄ変換回路１７で得られたデジタル画像信号を画像処理する。
【００２７】
この画像処理としては、例えば画像の白バランスを補正するホワイトバランス補正処理、ＲＧＢのデジタル画像信号からＹ（輝度）信号とＣ（色）信号とを生成するＹＣ生成処理、画像の階調補正を行う階調補正処理などがある。
【００２８】
バッファメモリ１９は、画像処理部１８で処理されたデジタル画像信号を一時的に記憶する。液晶制御部２０は、バッファメモリ１９に記憶されたデジタル画像信号を読み出し、読み出したデジタル画像信号に基づいてＬＣＤ９に画像表示を行う。圧縮伸長部２１は、バッファメモリ１９に記憶されたデジタル画像信号を読み出してＪＰＥＧ方式などの種々の方式で圧縮し、この圧縮画像をインターフェイス（Ｉ／Ｆ）２２を介して記録媒体２３に記録する。記録媒体２３としては、例えば図１のカメラに対して着脱自在に構成されたカード型メモリやハードディスクなどが挙げられる。
【００２９】
ファインダ画像生成部２４は、ＣＣＤ１５で連続的に撮像されて得られたデジタル画像信号に対してファインダ表示用の画像を生成するための画像処理を行う。この画像処理としては、例えば画像の白バランスを補正するホワイトバランス補正処理や画像サイズを表示部の表示サイズに合わせるリサイズ処理などがある。液晶制御部２５は、ファインダ画像生成部２４で生成されたファインダ画像に基づいてＥＶＦ６にファインダ画像表示を行う。なお、ファインダ画像は、ＬＣＤ９に表示させることもできる。  
ストロボ制御回路２６は、ストロボ発光部３の発光制御を行う。無線通信回路２７は、カメラ用水中カプセルとの間の無線通信の際の信号の変調や復調などの種々の無線処理を行う。アンテナ２８は、無線通信回路２７で処理された無線信号を送信する。若しくはカメラ用水中カプセルから送信されてきた無線信号を受信する。電源供給回路２９はカメラ本体側の電源供給回路であり、図示しない電池などの電圧をカメラ内部の各回路が必要とする電圧に変換して、カメラ内部の各回路に供給する。カメラ用水中カプセル検知スイッチ（ＳＷ）３０は、カメラ用水中カプセル検知ボタン１０の押圧状態を検知する。
【００３０】
システムコントローラ３１は、絞り１２、ＡＦ機構１３、及びシャッタ１４の動作制御、撮像回路１６の信号読み出しのタイミング制御、Ａ／Ｄ変換回路１７におけるゲイン量の指示、画像処理部１８の制御、バッファメモリ１９の書き込み／読み出しアドレスの指示、ストロボ制御回路２６の動作制御、無線通信回路２７の動作制御、電源供給回路２９の動作制御などのデジタルカメラの各回路の制御を行う。また、システムコントローラ３１は、ファインダ画像生成部２４で生成されたファインダ画像に基づいて測光演算やコントラストＡＦのための演算を行う。ここで、コントラストＡＦは、ファインダ画像生成部２４で生成されたファインダ画像のコントラストが最も高くなるようにレンズ１１を駆動するＡＦの手法である。
【００３１】
操作部３２は、ユーザがカメラに対して各種動作指示を与えるための手動操作部材群である。図５では、図１で説明したレリーズボタン４、モードダイヤル５、十字キー７、確定キー８を図示している。
【００３２】
次に、カメラ用水中カプセル側の構成について説明する。図５において、アンテナ３３は、カメラ側から送信されてきた無線信号を受信する。若しくはカメラ側に無線信号を送信する。無線通信回路３４は、無線通信回路２７と同様の構成を有しており、無線通信の際の信号の変調や復調などの種々の無線処理を行う。ここで、アンテナ３３と無線通信回路３４とで送信手段を構成している。
【００３３】
検知手段としてのタッチセンサ用制御ＩＣ３５は、無線通信回路３４の動作制御及びタッチセンサ１００の赤外線受光素子１０５〜１０８及び赤外線受光素子２０６〜２１０の出力信号に基づいて検知したユーザタッチ位置の座標に応じた処理を制御する。電源供給回路３６はカメラ用水中カプセル側の電源供給回路である。ここで、電源供給回路３６は、カメラ本体１側から、電磁誘導によって電源供給を受けることができるようになっている。例えば、電源供給回路３６は、アンテナ３３において無線信号を受信した際にアンテナ３３にて発生する起電力を電源として利用するように構成されている。電源供給用のアンテナを別途に電源供給回路３６に設けるようにしても良い。
【００３４】
次に、以上のような構成を有するカメラ及びカメラ用水中カプセルにおける、タッチセンサ１００を用いたカメラの動作について説明する。図６は、タッチセンサ１００の起動時にタッチセンサ用制御ＩＣ３５において行われる処理について示すフローチャートである。
【００３５】
タッチセンサ１００が起動すると、まずタッチセンサ１００の各検知領域のオンオフ状態が判定される（ステップＳ１）。ここでは、例えば各検知領域に対応する赤外線受光素子の信号出力がローレベルの場合をオンとする。ステップＳ１の判定において、各検知領域がすべてオンしていない場合には、タッチセンサ１００の検知領域にゴミ等が付着しておらず、またユーザの指などが検知領域に触れてもいない。この場合には、再び検知領域のオンオフ状態の判定が行われる。
【００３６】
また、ステップＳ１の判定において、各検知領域がすべてオンしている場合には、ステップＳ１をステップＳ２に分岐して、タッチセンサ１００の検知領域が汚れている、若しくは水中使用時であって水が濁っている場合であると判断され（ステップＳ２）、タッチセンサ１００の機能が一時停止される（ステップＳ３）。この場合に、タッチセンサ１００の検知領域が汚れている旨をユーザに告知するようにしても良い。
【００３７】
また、ステップＳ１の判定において、検知領域の一部がオンしている場合には、ステップＳ１をステップＳ４に分岐して、オンしている部分に接触しているのがユーザの指（タッチペンなども含まれる）やゴミであるかを判定するための濁り判定シーケンスが行われる（ステップＳ４）。この濁り判定シーケンスの処理については後述する。ステップＳ４の濁り判定シーケンスの処理の後、オンしている部分に接触しているのがユーザの指であるか否かが判定される（ステップＳ５）。この判定は、例えば検知領域が複数箇所同時にオンしているか否かによって判定する。つまり、検知領域が１箇所のみオンしている場合には指であると判定され、複数箇所オンしている場合にはゴミであると判定される。
【００３８】
ステップＳ５の判定において、オンしている部分に接触しているのがゴミである場合には、ステップＳ５をステップＳ６に分岐して、タッチセンサ１００による制御が無視される（ステップＳ６）。その後、ステップＳ１に戻る。また、ステップＳ５の判定において、オンしている部分に接触しているのがユーザの指である場合には、ステップＳ５をステップＳ７に分岐して、タッチセンサ１００による制御が開始される（ステップＳ７）。つまり、ステップＳ５の判定において、ユーザの指が触れたと判定されるまで、ステップＳ４の濁り判定シーケンスの処理が行われる。なお、ステップＳ５の判定において、検知領域にゴミが付着していると判定された場合には、その旨をユーザに告知するようにしても良い。
【００３９】
また、図６のステップＳ１の判定を所定時間ごとに行えるように、タッチセンサ用制御ＩＣ３５にタイマを設けるようにしても良い。この場合には、ステップＳ１の判定において、タッチセンサ１００の検知領域がすべてオンしており、検知領域が汚れていると判定された場合でも、検知領域の汚れがなくなるまでステップＳ１の判定を繰り返し行うことができる。
【００４０】
次に、ステップＳ７のタッチセンサ１００による制御について図７を参照して説明する。図７の処理においては、まず検知領域におけるユーザタッチ位置の座標の測定が行われる（ステップＳ１１）。その後、測定された座標に対応する操作状態信号がカメラ本体１側に送信される（ステップＳ１２）。カメラ本体１側では受信した操作状態信号に応じた処理が実行される。
【００４１】
次に、ステップＳ４の濁り判定シーケンスについて図８を参照して説明する。濁り判定シーケンスにおいては、まず複数回赤外線を照射した場合に、検知領域のオンの位置が変化したか否かが判定される（ステップＳ２１）。ステップＳ２１の判定において、オンの位置が変化した場合には、検知領域に付着していたゴミが移動した場合や、タッチセンサ１００の検知領域に触れていたユーザの離れた場合などであると考えられる。この場合には、ステップＳ２１をステップＳ２２に分岐して、検知領域にゴミ又は指があると判断される（ステップＳ２２）。この後、図６のステップＳ５に移行して、検知領域に触れているのがゴミであるか或いは指であるかが判定される。
【００４２】
一方、ステップＳ２１の判定において、オンの位置が変化しない場合には、検知領域が汚れていたり、水が濁っていたりしていると考えられる。この場合には、ステップＳ２１をステップＳ２３に分岐して、水の濁り又は検知領域の汚れがあると判断される（ステップＳ２３）。その後、タッチセンサ１００による制御が無視される（ステップＳ２４）。なお、この際、タッチセンサ１００に設けられた表示面やＬＣＤ９などに、タッチセンサ１００の検知領域が汚れているなどしているかをユーザに確認させるような告知を行うようにしても良い。この後、図６のステップＳ５に移行する。この場合には、検知領域に触れているのが指ではないため、ステップＳ６に分岐する。
【００４３】
以上説明したように、本一実施形態によれば、カメラ用水中カプセルに収納されたカメラの操作をカメラ用水中カプセルの背面に設けられたタッチセンサによって行うことができる。また、タッチセンサからの操作状態信号は非接触通信によってカメラ側に送られるので、ユーザがリモコンなどを携帯する必要がない。このため、防水構造を持ちつつも操作性を損なうことがなく、またユーザはカメラ用水中カプセルを両手で把持することが可能である。
【００４４】
また、タッチセンサの電源は電磁誘導によってカメラ側から供給されるので、カメラ用水中カプセル側に電源を装填する必要がなく、カメラ用水中カプセルを小型かつ軽量に構成することが可能である。
【００４５】
さらには、水中使用時において水が濁っているなどの理由でタッチセンサの検知領域が汚れている場合には、タッチセンサによる制御が無視されるので、タッチセンサの誤作動を防止することができる。
【００４６】
以上実施形態に基づいて本発明を説明したが、本発明は上記した実施形態に限定されるものではなく、本発明の要旨の範囲内で種々の変形や応用が可能なことは勿論である。例えば、濁り判定シーケンスの処理は、タッチセンサ１００の起動時に行うようにしているが、ユーザが任意のタイミングで実行できるようにしても良い。
【００４７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４８】
【図１】本発明の一実施形態に係るカメラ用水中カプセルに収納されるカメラの外観斜視図である。
【図２】図１のカメラが収納される本一実施形態に係るカメラ用水中カプセルの外観背面斜視図である。
【図３】タッチセンサの上面図である。
【図４】タッチセンサの側面断面図である。
【図５】カメラとカメラ用水中カプセルの内部の回路構成について示すブロック図である。
【図６】タッチセンサの起動時にタッチセンサ用制御ＩＣにおいて行われる処理について示すフローチャートである。
【図７】タッチセンサによる制御処理について示すフローチャートである。
【図８】濁り判定シーケンスについて示すフローチャートである。
【符号の説明】
【００４９】
１…カメラ本体、２…レンズ鏡筒、３…ストロボ発光部、４…レリーズボタン、５…モードダイヤル、６…電子ビューファインダ装置（ＥＶＦ）、７…十字キー、８…確定キー、９…液晶モニタ（ＬＣＤ）、１０…カメラ用水中カプセル検知ボタン、１１…レンズ、１３…ＡＦ機構、１４…シャッタ、１５…ＣＣＤ、１６…撮像回路、１７…アナログ／デジタル（Ａ／Ｄ）変換回路、１８…画像処理部、１９…バッファメモリ、２０，２５…液晶制御部、２１…圧縮伸長部、２２…インターフェイス（Ｉ／Ｆ）、２３…記録媒体、２４…ファインダ画像生成部、２６…ストロボ制御回路、２７，３４…無線通信回路、２８，３３…アンテナ、２９，３６…電源供給回路、３０…カメラ用水中カプセル検知スイッチ（ＳＷ）、３１…システムコントローラ、３２…操作部、３５…タッチセンサ用制御ＩＣ、４１…カメラ用水中カプセル本体、４２…押圧部材、１００…タッチセンサ
【図１】
2006350016.tif 000003
【図２】
2006350016.tif 000004
【図３】
2006350016.tif 000005
【図４】
2006350016.tif 000006
【図５】
2006350016.tif 000007
【図６】
2006350016.tif 000008
【図７】
2006350016.tif 000009
【図８】
2006350016.tif 000010